(57)【要約】      （修正有）【課題】簡易な構成で、箱の状態や箱の周囲の環境に関する種々の情報を、当該箱を管理する管理者に容易に通知することができる箱を提供する。【解決手段】箱１０に割り当てられた固有の識別情報を保持し、必要に応じて、箱１０を管理する管理者用の端末装置３０に、識別情報を提供する識別情報保持手段と、箱１０の状態を監視することにより、箱１０の状態に関するデータを生成し、これを必要に応じて端末装置に３０に提供する状態監視手段と、端末装置３０からの制御信号に基づいて、管理者に通知するための通知情報を生成し出力する通知情報出力手段と、端末装置３０との間でデータのやりとりを行うことにより、箱１０の位置情報を取得する位置情報取得手段とを備える。【選択図】図１
0003210464.tif 000002
【実用新案登録請求の範囲】
【請求項１】
物品を収納する箱において、
前記箱に割り当てられた固有の識別情報を保持し、必要に応じて、前記箱を管理する管理者用の端末装置に、前記識別情報を提供する識別情報保持手段と、
前記箱の状態を監視することにより、前記箱の状態に関するデータを生成し、これを必要に応じて前記端末装置に提供する状態監視手段と、
前記端末装置からの制御信号に基づいて、前記管理者に通知するための通知情報を生成し出力する通知情報出力手段と、
前記端末装置との間でデータのやりとりを行うことにより、前記箱の位置情報を取得する位置情報取得手段と
を備えることを特徴とする箱。
【考案の詳細な説明】
【技術分野】
【０００１】
本考案は、箱に関する。
【背景技術】
【０００２】
近年、物品を収納する収納用の箱や、物品を配送する配送用の箱として、種々の箱が開発及び提案されている。
【考案の概要】
【考案が解決しようとする課題】
【０００３】
本考案は、簡易な構成で、箱の状態や箱の周囲の環境に関する種々の情報を、当該箱を管理する管理者に容易に通知することができる箱を提供することを目的とする。
【課題を解決するための手段】
【０００４】
本考案の一態様による箱は、
物品を収納する箱において、
前記箱に割り当てられた固有の識別情報を保持し、必要に応じて、前記箱を管理する管理者用の端末装置に、前記識別情報を提供する識別情報保持手段と、
前記箱の状態を監視することにより、前記箱の状態に関するデータを生成し、これを必要に応じて前記端末装置に提供する状態監視手段と、
前記端末装置からの制御信号に基づいて、前記管理者に通知するための通知情報を生成し出力する通知情報出力手段と、
前記端末装置との間でデータのやりとりを行うことにより、前記箱の位置情報を取得する位置情報取得手段と
を備える。
【考案の効果】
【０００５】
本考案の箱によれば、簡易な構成で、箱の状態や箱の周囲の環境に関する種々の情報を、当該箱を管理する管理者に容易に通知することができる。
【図面の簡単な説明】
【０００６】
【図１】本考案の実施の形態による箱の構成を示す分解斜視図及び縦断面図である。
【図２】同箱に搭載される無線通信装置の構成を示すブロック図である。
【考案を実施するための形態】
【０００７】
以下、本考案の実施の形態について図面を参照して説明する。
【０００８】
図１に、本考案の実施の形態による箱１０の構成を示す。このうち、図１（ａ）は、箱１０の分解斜視図を示し、図１（ｂ）は、図１（ａ）中のＡ−Ａ’線に沿って切断した場合の縦断面図を示す。図２は、箱１０に搭載される無線通信装置２０の回路構成を示す。
【０００９】
箱１０は、底板１０Ａに対して、側壁板１０Ｂ〜１０Ｅを連設し、上部に蓋板１０Ｆを設けることにより、箱型形状に形成され、その内側に所望の商品や物品を収納する。なお、この箱１０は、例えばプラスチック材や紙材など、種々の材料によって形成されている。
【００１０】
箱１０の底板１０Ａの内部には、箱１０の外側及び内側から視認できないように、無線通信装置２０が埋め込まれている。この無線通信装置２０は、例えばＢｌｕｅｔｏｏｔｈ（登録商標）通信などの近距離無線通信を行う装置からなり、箱１０を管理する管理者が保有する、例えばスマートフォンやタブレットなどの端末装置３０との間で無線接続される。
【００１１】
この無線通信装置２０は、通信制御部４０と、記憶部５０と、温度センサ６０と、スピーカ７０と、発光部８０と、動きセンサ９０とを有する。
【００１２】
通信制御部４０は、端末装置３０との間で無線通信を行うことにより、各部５０〜９０の動作を制御する。このうち、記憶部５０には、当該無線通信装置２０（すなわち、箱１０）固有の識別情報が記憶され、通信制御部４０は、必要に応じて、記憶部５０から識別情報を読み出し、これを端末装置３０に送信する。
【００１３】
また、通信制御部４０は、端末装置３０の制御信号に基づいて、温度センサ６０によって得られた温度データや、動きセンサ９０によって得られた動きデータを端末装置３０に送信することにより、箱１０の状態や、箱１０の周囲の環境を管理者に通知する。
【００１４】
さらに、通信制御部４０は、端末装置３０の制御信号に基づいて、スピーカ７０から音声を出力したり、発光部８０を発光させることにより、箱１０付近に位置する管理者に、例えば箱１０の現在位置などの種々の情報を通知する。
【００１５】
一方、端末装置３０は、ＧＰＳ（Global Positioning System）機能を有し、無線通信装置２０との間で通信が確立されている間、当該端末装置３０が取得した位置情報を、無線通信装置２０の位置情報として、内部の記憶部（図示せず）に記憶する。
【００１６】
このように本実施の形態によれば、簡易な構成で、箱１０の状態や箱１０の周囲の環境に関する種々の情報を、当該箱１０を管理する管理者に容易に通知することができ、従って管理者は箱１０を容易に管理することができる。
【００１７】
なお、上述の実施の形態においては、無線通信装置として、Ｂｌｕｅｔｏｏｔｈ（登録商標）通信を行う無線通信装置２０を使用した場合について述べたが、本考案はこれに限らず、例えばＮＦＣ（Near Field Communication）通信を行う無線通信装置など、他の種々の無線通信装置を使用しても良い。
【００１８】
また、無線通信装置ではなく、例えばＱＲコード（登録商標）などの２次元コードを箱１０に表示し、当該２次元コード内に、箱１０固有の識別情報を埋め込むようにしても良い。なお、この場合、温度センサ、スピーカ、発光部、動きセンサは、別途、設ける必要が生じる。
【００１９】
要は、Ｂｌｕｅｔｏｏｔｈ（登録商標）通信装置、ＮＦＣ通信装置、２次元コードのうち、少なくともいずれか１つ以上を箱１０に設けるようにすれば良い。また、温度センサ、スピーカ、発光部、動きセンサについても、これらのうち、少なくともいずれか１つ以上を箱１０に設けるようにすれば良い。
【００２０】
また、上述の実施の形態においては、識別情報保持手段として、記憶部５０を適用した場合について述べたが、本考案はこれに限らず、箱１０に割り当てられた固有の識別情報を保持し、必要に応じて、箱１０を管理する管理者用の端末装置３０に、識別情報を提供する他の種々の識別情報保持手段を適用しても良い。
【００２１】
また、上述の実施の形態においては、状態監視手段として、温度センサ６０及び動きセンサ９０を適用した場合について述べたが、本考案はこれに限らず、箱１０の状態を監視することにより、箱１０の状態に関するデータを生成し、これを必要に応じて端末装置３０に提供する他の種々の状態監視手段を適用しても良い。
【００２２】
また、上述の実施の形態においては、通知情報出力手段として、スピーカ７０及び発光部８０を適用した場合について述べたが、本考案はこれに限らず、端末装置３０からの制御信号に基づいて、管理者に通知するための通知情報を生成し出力する他の種々の通知情報出力手段を適用しても良い。
【００２３】
また、上述の実施の形態においては、位置情報取得手段として、通信制御部４０を適用した場合について述べたが、本考案はこれに限らず、端末装置３０との間でデータのやりとりを行うことにより、箱１０の位置情報を取得する他の種々の位置情報取得手段を適用しても良い。
【００２４】
このように、本実施の形態の場合、物品を収納する箱１０は、箱１０に割り当てられた固有の識別情報を保持し、必要に応じて、箱１０を管理する管理者用の端末装置３０に、識別情報を提供する識別情報保持手段５０と、箱１０の状態を監視することにより、箱１０の状態に関するデータを生成し、これを必要に応じて端末装置３０に提供する状態監視手段６０及び９０と、端末装置３０からの制御信号に基づいて、管理者に通知するための通知情報を生成し出力する通知情報出力手段７０及び８０と、端末装置３０との間でデータのやりとりを行うことにより、箱１０の位置情報を取得する位置情報取得手段４０とを備える。
【符号の説明】
【００２５】
１０  箱
２０  無線通信装置
３０  端末装置
４０  通信制御部
５０  記憶部
６０  温度センサ
７０  スピーカ
８０  発光部
９０  動きセンサ
【図１】
0003210464.tif 000003
【図２】
0003210464.tif 000004